(57)【要約】【課題】有底状のケースの内部に、小さな有底状のケースの開口部を接着した事を特徴とする超音波送受信器の残響を短くする。【解決手段】大きなケース２ａと小さなケース２ｂの間に、シリコーンまたはウレタンまたはゴムの発泡材料からなる遮音体８を入れる。２つのケースの天面の間にある空間を介して、他方の天面に伝達する超音波を遮断する事で、残響特性が改善される。【選択図】        図１
2010278594.tif 000002
【特許請求の範囲】
【請求項１】
有底状のケースと、そのケースの内径より小さい外径を持つ有底状のケースと、圧電素子とからなり、大きなケースの底面部に小さなケースの開口部を固着し、小さなケースの天面に圧電素子を接着してなる、異なる２つの共振周波数をもつ事を特徴とする超音波送受信器において、小さなケースと大きなケースとの間の空間に、シリコーンおよびウレタンおよびゴムの少なくともいずれか１つからなる発泡材料を成形してなる遮音体を入れたことを特徴とする超音波送受信器
【発明の詳細な説明】
【技術分野】
【０００１】
本発明は、超音波周波数帯の送受信を行う超音波送受波器に関するものである。
【背景技術】
【０００２】
従来から、圧電素子を金属または樹脂からなる有底状のケースの底面に貼り付けた構造体からなる超音波送受信装置が、自動車（車両）のバックソナー用として大量に生産されている。これらの超音波送受信装置は、多くの場合、超音波送受信器を構成するケースの固有振動によって超音波を発生させるために、それぞれの超音波送受信器が送受信できる超音波の周波数は特定の１つに限られている。
【０００３】
１つの超音波送受信器で、２つの異なる周波数の超音波を送受信することが出来る超音波送受信器が開発されている。特許文献１に記載の超音波送受信器は、有底状ケースの底面に、そのケースの内径よりも小さな外径をもつ有底状ケースの開口部を接着することで、２つの異なる周波数の超音波を送受信することを可能にしている。それぞれの周波数で発生させることの出来る超音波の音圧は比較的大きく、現在車両用として使用されている超音波送受信器と同程度の音圧が得られている。
【特許文献１】特許公開２００８−１１１０２０号公報
【発明の開示】
【発明が解決しようとする課題】
【０００４】
特許文献１に記載の超音波送受信器は、その構造的特性によって２つの共振周波数を持ち、２つの異なる周波数の超音波の送受信が可能である。しかし、残響が長いという問題がある。
【０００５】
そこで、この発明では、有底状の大きさケースと、そのケースの内径より小さい外径を持つ有底状の小さなケースと、圧電素子とからなり、大きなケースの底面部に小さなケースの開口部を固着し、小さなケースの天面に圧電素子を固着してなる、異なる２つの共振周波数をもつ事を特徴とする超音波送受信器において、２つの異なる周波数のどちらで駆動させた場合でも残響の短い超音波送受信器を実現することを目的とする。
【課題を解決するための手段】
【０００６】
請求項１に記載の発明では、有底状の大きなケースと、そのケースの内径より小さい外径を持つ有底状の小さなケースと、圧電素子とからなり、大きなケースの底面部に小さなケースの開口部を固着し、小さなケースの天面に圧電素子を固着してなる、異なる２つの共振周波数をもつ事を特徴とする超音波送受信器において、小さなケースと大きなケースとの間の空間に、シリコーンおよびウレタンおよびゴムの少なくともいずれか１つからなる発泡材料を成形してなる遮音体を入れる事で、２つの異なる周波数のどちらで駆動させた場合でも残響の短い超音波送受信器を実現する。
【実地例】
【０００７】
図１に本発明の実施の形態に関わる超音波送受波器の実施例を示す。図１において、アルミニウム材からなる外径φ１４の有底筒状ケース２ａ内部にアルミケース材からなる有底筒状ケース２ｂの開口部を接着剤によって接着し、有底筒状ケース２ｂの天面に圧電素子１を接着剤によって接着する。大きなケース２ａと小さなケース２ｂと圧電素子１とは、５２ｋＨｚと６５ｋＨｚに共振周波数を持つように寸法が設計されている。有底筒状ケース２ａと２ｂの間の空間７は例えばシリコーン材からなる発泡材料を成形してなる遮音体８で埋められている。遮音体８は、例えば厚さ１ｍｍに成形されたシリコーン材からなる発泡材料のシートを、成形用の金型で押し抜く事で成形されている。遮音体８は大きなケース２ａと小さなケース２ｂを接着する際に、入れることができる。または、例えば発泡シリコーンを、小さなケース２ｂに充填し発泡させて遮音体８を作成、その後に小さなケース２ｂと大きなケース２ａを接着することも出来る。圧電素子１から入出力リード５ａ、有底筒状ケース２ａ又は２ｂの側面内側より入出力リード５ｂを半田付け等して取り出す。圧電素子１有底筒状ケース２ａ及び２ｂは、固着面で電気的に接続されている。入出力リード線５ａおよび５ｂはＰＶＣ被覆ワイヤ付きコネクタ６のワイヤにそれぞれ半田付けされている。圧電素子１の上面に吸音材３を設置し、更にその上からシリコーン材、ウレタン材等の弾性体から成る封止剤４を有底筒状ケース２内に充填する。
【０００８】
比較の為に、図２と図３に従来の実施形態に関わる超音波送受信機の略図を示す。図２に示す実施例では、有底筒状ケース２ａと２ｂの空間７は空洞になっている。その他は図１と同じである。図３に示す実施例では、有底筒状ケース２ａと２ｂの空間７が弾性体、例えば硬度４０のシリコーン９によって充填されている。その他は図１と同じである。
【０００９】
本発明を実施した形態（図１の場合）と、従来の形態（図２の場合）を実施した場合の残響波形を図４にしめす。図４−ａに本発明の形態を実施した場合の波形、図４−ｂに従来の形態を実施した場合の波形を示す。従来の形態を実施した場合に比べて、本発明の形態を実施した場合は、残響が短い。本発明を実施した形態では、残響が大きく改善される事がわかる。
【００１０】
図５に有限要素法を用いて計算したモーダル解析の結果を示す。図５−ａに５２ｋＨｚの振動モード、図５−ｂに６５ｋＨｚの振動モードでの変形を示す。振動数が低い方の振動モードでは大きなケースの天面と小さなケースの天面が同位相で振動し、一方、振動数が高い方の振動モードは大きさケースの天面と小さなケースの天面が逆位相で振動している。この結果から、一方の天面で発生した超音波がもう一方に天面に当たる事が残響を長くしている原因であると考えられる。図４に示した遮音体８による残響改善の効果は、一方の天面で発生した超音波が遮音体８によって遮断された事によると考えられる。
【００１１】
従来の形態（図３の場合）では、有底筒状ケース２aと２ｂの空間７に充填されたシリコーン９の影響が大きく、２つの周波数での振動が大きく抑制されるため、反射感度が大幅に低下してしまう。一方、本発明を実施した形態では、弾性体に比べてはるかに密度の低い発泡体を内部に埋め込むことで、超音波送受信器の特性を損なうことなく、残響の短い超音波送受信器を実現することが出来る。
【図面の簡単な説明】
【００１２】
【図１】本発明の実施の形態に関わる有底筒状ケースの概略図
【図２】従来の実施の形態に関わる有底筒状ケースの概略図（空洞の場合）
【図３】従来の実施の形態に関わる有底筒状ケースの概略図（弾性体の場合）
【図４】残響波形（本発明と従来の実施形態の比較）
【図５】モーダル解析の結果（本発明と従来の実施形態の比較）
【符号の説明】
【００１３】
１    圧電素子
２a   大きなケース
２b   小さなケース
３    吸音材
４    封止剤
５ａ  入出力リード
５ｂ  入出力リード 
６    ＰＶＣ被覆ワイヤ付きコネクタ
７    空間
８    遮音体
９    シリコーン
【図１】
2010278594.tif 000003
【図２】
2010278594.tif 000004
【図３】
2010278594.tif 000005
【図４】
2010278594.tif 000006
【図５】
2010278594.tif 000007